(57)【要約】【課題】  ケーブルの挿通孔を拡大することなく地面のケーブルの立ち上げ位置に自由度を持たせたキュービクル基台を提供して、基台のみ予め作製しておくことを可能とする。【解決手段】  高圧ケーブルを引き込むための高圧ケーブル挿通孔１と、低圧ケーブルを引き出すための低圧ケーブル挿通孔２とを上下方向に貫設し、当該挿通孔１，２は下方を拡開してホーン状に形成し、上部開口部はケーブルを挿通するのに必要且つ十分な大きさとした。また、上面の周囲４ヶ所には吊りボルトを取り付け可能なネジ孔３を設けた。【選択図】  図１
2005130619.tif 000002
【特許請求の範囲】
【請求項１】
キュービクルを載置固定するためのコンクリート製の基台であって、高圧ケーブルを挿通する高圧ケーブル挿通孔と、低圧ケーブルを挿通する低圧ケーブル挿通孔とを上下方向に貫設し、当該挿通孔は何れも下方を拡開してホーン状に形成したことを特徴とするキュービクル基台。
【請求項２】
高圧及び低圧ケーブル挿通孔は、上部開口部に対して下部開口部が２倍以上の大きさで形成されて成る請求項１記載のキュービクル基台。
【請求項３】
上面の少なくとも４隅に吊りボルトを装着可能なネジ孔を穿設して成る請求項１又は２記載のキュービクル基台。
【請求項４】
底面に吊りベルトを案内するベルト案内溝を有する請求項１乃至３の何れかに記載のキュービクル基台。
【請求項５】
下端部の少なくとも１ヶ所にバールを挿入する為の切り欠きを設けた請求項１乃至４の何れかに記載のキュービクル基台。
【請求項６】
内部に鉄筋を配してなる請求項１乃至５の何れかに記載のキュービクル基台。
【発明の詳細な説明】
【技術分野】
【０００１】
本発明は、受電設備を収容するキュービクルを設置する際に地面に配置してキュービクルを載置固定するためのキュービクル基台に関する。
【背景技術】
【０００２】
従来、受電設備を収容する箱、所謂キュービクルを設置する場合、設置する地面にキュービクルを載置し固定するための基台が配置される。この基台はキュービクルの底面形状に合わせた型枠を作製し、そこにコンクリートを流し込んでブロック状に形成し、その基台上にボルト止め等してキュービクルを設置固定していた。
一方、受電設備は、工場や工事現場等において、全ての電気設備に電力を供給するための基幹を成す設備であるため、スピーディーな設置が要求されている。ところが、上述するようにキュービクルを設置するための基台はキュービクル設置現場で作製されるし、コンクリートを流し込むため、工期に時間が掛かりキュービクル設置の工期短縮の障害となっていた。そのため基台作製の工期短縮が望まれていた。
そのようなことから、例えば特許文献１に開示されているように、キュービクル基台として既製のコンクリート製基礎主体を使用し、予め工場等で基台を作製しておき、キュービクルを設置する際にクレーンを用いて運搬し設置することで、キュービクル施工期間を短縮する工法が提案された。
【０００３】
【特許文献１】特開平８−１３５１３号公報
【発明の開示】
【発明が解決しようとする課題】
【０００４】
上記特許文献１に示す工法の場合、基台を予め作製しておくことで、大幅な工期の短縮が可能となる。ところが、ここで使用される基台は基本的に枠体であるため大きな開口部を有している。そのため、強度を維持するために高さを大きくする必要があり、そのために設置面を深く根切り作業をしなければならないし、基台設置後、内部に土砂を入れて突き固めたり、モルタル層を形成する作業等が必要であった。但し、キュービクル内への高圧ケーブルの引き込みは下入線が一般的であるため、基台には大なり小なり開口部は必要である。
【０００５】
そこで、基台設置に際して上述するような工事を無くす為に、開口部を最小限の大きさとし、ケーブルを挿通する挿通孔のみ設けて厚みを抑えた形状とすれば、更に作業を簡単にでき、工期を短縮できる。比較的小型のキュービクルの場合、基台の開口部を小さくしても運搬可能な重量に抑えることができるため、このような基台が有効に利用できると考えられるが、その場合次のような問題があった。
地面に形成された高圧ケーブルをキュービクルへ引き込むためのケーブル立ち上げ孔の位置は、所定位置に精度良く施工するのが難しくまちまちであるため、基台と地面の双方の孔の位置が合わない場合は、地面のケーブル立ち上げ孔の位置を変更する必要が生ずる。ところが、高圧ケーブルは地中埋設やスラブ立ち上げで施工されているため、立ち上げ位置の変更が難しい。
このようなことから、開口部を小さくして、基台設置前後の作業も簡易化できる基台を予め作製しておく方法を採用するのは難しかった。
【０００６】
そこで、本発明はこのような問題点に鑑み、ケーブル挿通孔を大きく形成することなく、地面のケーブルの立ち上げ孔位置に自由度を持たせたキュービクル基台を提供することを目的とする。
【課題を解決するための手段】
【０００７】
上記課題を解決するため、請求項１の発明は、キュービクルを載置固定するためのコンクリート製の基台であって、高圧ケーブルを挿通する高圧ケーブル挿通孔と、低圧ケーブルを挿通する低圧ケーブル挿通孔とを上下方向に貫設し、当該挿通孔は何れも下方を拡開してホーン状に形成したことを特徴とする。
また、請求項２の発明は、請求項１記載の発明において、高圧及び低圧ケーブル挿通孔は、上部開口部に対して下部開口部が２倍以上の大きさで形成されて成ることを特徴とする。
このように構成することで、ケーブル挿通孔の下部のみ口径を大きくしたので、枠状に形成するより強度を上げることができ、全体の厚みを小さくできる。そして、下部を大口径とすることで、ケーブル立ち上げ孔位置が所定の位置からある程度ずれても容易にケーブル挿通孔に挿通できるので、ケーブル立ち上げ孔位置に自由度を持たせることができる。従って、ケーブル挿通孔とケーブル立ち上げ孔が完全に一致していなくても、ケーブル立ち上げ孔位置を変更することなく高圧ケーブルを容易にキュービクル内に引き込むことができるので、基台を予め作製しておくことが可能となる。
【０００８】
請求項３の発明は、請求項１又は２記載の発明において、上面の少なくとも４隅に吊りボルトを装着可能なネジ孔を穿設して成ることを特徴とする。
この構成により、ネジ孔に吊りボルトを装着すれば、基台をつり下げて容易に運搬できるし、ネジ孔をキュービクルのアンカーボルト取り付け位置と一致させれば、孔開け作業等することなくアンカーボルトを容易に取り付けできる。
【０００９】
請求項４の発明は、請求項１乃至３の何れかに記載の発明において、底面に吊りベルトを案内するベルト案内溝を有することを特徴とする。
この構成により、吊り上げのために掛けたベルトがずれるようなことが無く容易に吊り上げできるし、輸送する際にベルトで容易に固定できる。
【００１０】
請求項５の発明は、請求項１乃至４の何れかに記載の発明において、下端部の少なくとも１ヶ所にバールを挿入する為の切り欠きを設けたことを特徴とする。
この構成により、バール等を用いて基台を地面から容易に剥がすことができ、良好な状態で再使用できる。
【００１１】
請求項６の発明は、請求項１乃至５の何れかに記載の発明において、内部に鉄筋を配してなることを特徴とする。
この構成により、強度アップが成されるので、全体を軽量化を図ることができる。
【発明の効果】
【００１２】
このように、本発明によれば、ケーブル挿通孔の下部のみ大口径としたので、枠状に形成した基台に比べて大きな強度を得ることができる。そして、下部を大口径とすることで、ケーブル立ち上げ孔位置が所定の位置からある程度ずれても容易にケーブル挿通孔に挿通でき、ケーブル立ち上げ孔位置に自由度を持たせることができる。従って、ケーブル挿通孔とケーブル立ち上げ孔が完全に一致していなくても、ケーブル立ち上げ孔位置を変更することなく高圧ケーブルをキュービクル内に引き込むことができるので、基台を予め作製しておくことが可能となるし、開口部が小さいので、基台設置時の工事も簡単となる。
【発明を実施するための最良の形態】
【００１３】
以下、本発明を具体化した実施の形態を、図面に基づいて詳細に説明する。図１，図２は本発明に係るキュービクル基台の一例を示し、図１は斜視図、図２は平面説明図であり、１は高圧ケーブルをキュービクルに引き込むための高圧ケーブル挿通孔、２は低圧ケーブルをキュービクルから引き出すための低圧ケーブル挿通孔、３は吊りボルトを装着可能なネジ孔、４は内部に配設された鉄筋を示し、８は埋設する深さを示すグランドラインであり、側面に周設されている。
【００１４】
高圧ケーブル挿通孔１は、長方形の上部開口部１ａを有し、下方に向けて拡開され、底部開口部は正方形に近い形状となり、四角形のホーン型に形成されている。また、低圧ケーブル挿通孔２は、正方形の上部開口部２ａを有し、同様に下方に向けて拡開されて底部開口部は略正方形となり、四角形のホーン型に形成されている。また、双方の上部開口部１ａ，２ａは高圧或いは低圧ケーブルを挿通するのに必要且つ十分な大きさで形成され、ケーブル挿通後は僅かな隙間が残る程度に開口されている。具体的な数値の一例を示すと、基台の幅Ｌ１＝９７０ｍｍ、奥行Ｌ２＝８５０ｍｍ、高さ＝３００ｍｍであり、高圧ケーブル挿通孔１の上部開口部１ａの幅は２７５ｍｍ、奥行きは１２０ｍｍ、低圧ケーブル挿通孔２の上部開口部２ａの幅及び奥行きは１２０ｍｍである。また、高圧ケーブル挿通孔１の上部開口部に対する下部開口部の拡開率は略２．３倍、低圧ケーブル挿通孔２の上部開口部に対する下部開口部の拡開率は略４倍であり、下部開口部の基台底面全体に対する比率は略１７％となっている。
【００１５】
そして、ネジ孔３は図３の基台の部分拡大図に示すように、金属製の埋め込み型雌ねじ筒（通称、「インサート」と称する）５を埋設して形成され、吊りボルト６を装着可能となっている。尚、雌ねじ筒５は、図示するように先端を切り開いた略Ｙ形状のものが抜け難く好ましいが、他の形状のものであっても使用可能である。
鉄筋４は、図４のＡ−Ａ線断面図に示すように、開口面積の大きな下寄りに前後左右に配設され、十分な強度を得るように設けられている。また、７はバール等を挿入し易くするための切り欠きであり、隣接する２辺の下端部略中央に形成されている。この切り欠き７は、必要なくなった基台を撤去する際にバール等を挿入して底面接着部を剥がす際に使用される。尚、この切り欠き７は、１ヶ所だけ設けても効果的に活用できる。
また、
【００１６】
こうして形成した基台は、次のような手順で設置できる。まず、キュービクル設置場所を所定量（例えば、１０ｃｍ）掘り下げて整地する。次に、基台を設置面に密着させるために例えばインスタントセメントを一様に敷設する。その後、基台をクレーン等で吊り上げて、地面に設けられているケーブル立ち上げ孔の位置を確認しながら所定位置に下ろす。この際、ネジ孔３に吊りボルト６を取り付けることで容易に吊り上げでき、こうして、基台は設置できる。後は、掘り下げた周囲の土を戻すなりアスファルトで周囲を固める等すれば良く、インスタントセメントの作用により基台は地面に接着し固定される。
また、上部にキュービクルを設置する際、ネジ孔３をキュービクル固定用のアンカーボルト取り付け位置に合わせて設ければ、アンカーボルトの取り付けも容易に実施できる。
【００１７】
このように、ケーブル挿通孔の下部のみ大口径としたので、枠状に形成するより強度を上げることができ、全体の厚みを小さくできる。そして、下部を大口径とすることで、ケーブル立ち上げ孔位置が所定の位置からある程度ずれても容易にケーブル挿通孔に挿通できるので、ケーブル立ち上げ孔位置に自由度を持たせることができる。従って、ケーブル挿通孔とケーブル立ち上げ孔が完全に一致していなくても、ケーブル立ち上げ孔位置を変更することなく高圧ケーブルを容易にキュービクル内に引き込むことができ、基台を予め作製しておくことが可能となる。また、開口部が小さいので、基台設置時の工事も簡単になる。
【００１８】
更に、ネジ孔に吊りボルトを装着すれば、基台をクレーンでつり下げて容易に運搬できるし、ネジ孔をキュービクルのアンカーボルト取り付け位置と一致させれば、孔開け作業等することなくアンカーボルトを容易に取り付けできる。それでいて、ボルトを装着しなければ突起部が無いので容易に積み重ねでき、保管や運搬する際僅かなスペースで済む。
また、鉄筋を配設するので十分な強度を得ることができ、更に薄く作製できる。そのため、全体の軽量化を図ることができ、基台設置の際に、地面を大きく掘り下げる必要が無くなる。また、切り欠きを利用してバール等により基台を地面から容易に剥がすことができ、良好な状態で再使用することが可能となる。
【００１９】
尚、上記実施形態では、ケーブル挿通孔１，２の拡開率を、高圧ケーブル挿通孔１は略２．３倍、低圧ケーブル挿通孔２は略４倍としているが、拡開率は大きいほどケーブル立ち上げ孔位置の自由度を大きく採ることができる。しかし、基台強度が劣化するし設置作業が複雑になるので、大きさと高さの比で好ましい上限は設定される。また、下限としては２倍程度あれば、ケーブル立ち上げ孔位置の自由度をある程度持たせることができ、位置ズレの殆どをカバーできる。
更に、基台底面に対する下部開口部の比率は略１７％としているが、２５％以下であれば、強度を大きく劣化させることがないが、この数値は基台の大きさや厚みによって異なってくる。
また、双方のケーブル挿通孔１，２は、四角錐形状の挿通部を有し、一様に拡開して形成されているが、ラッパ状に底面に近い部位のみ大きく拡開して挿通孔内面に曲面を用いて形成しても良く、そうすれば更に強度を上げることができる。
【００２０】
図５は、上記実施形態の変形例を示している。図１との相違点を説明すると、低圧ケーブル挿通孔２を横断面円形にして形成し、下方を拡開して内面を略円錐形状に形成している。また、底面に十字状のベルト案内溝１０が設けられている。尚、図１と同様の構成要素には同一の符号を付与し、説明を省略する。
このように、高圧と低圧のケーブル挿通孔を別形状とすれば、作業者は形状で認識でき、高圧と低圧を間違えることがない。また、ベルト案内溝を有するので、吊りボルトを使わずにベルトを掛けて、クレーンで吊り下げ運搬する際にベルトがずれることがなく、ベルトによる運搬操作がし易い。また、トラック等で運搬する際、ベルトによる安定した固定を実施できる。更に、ベルト案内溝はバールを挿入する切り欠きとして利用でき、使用を終了した基台を再利用する際、容易に接着面を剥がすことができる。
【００２１】
尚、上記実施形態は何れも高圧ケーブル挿通孔１と低圧ケーブル挿通孔２を隣接させて形成しているが、大きく離して形成しても良い。また、逆に拡開した双方のケーブル挿通孔の底部を連結して、底部に大きな空間を形成しても良い。また、ネジ孔３は周囲４ヶ所に設けているが、アンカーボルト取り付け用に更に多く設ければ、載置するキュービクルに合わせて選択して利用することが可能となり、１つの基台で複数種類のキュービクルに対応させることも可能となる。
【図面の簡単な説明】
【００２２】
【図１】本発明の実施形態の一例を示すキュービクル基台の斜視図である。
【図２】図１の平面説明図である。
【図３】図１の一部拡大図である。
【図４】図２のＡ−Ａ線断面図である。
【図５】本発明の他の形態を示すキュービクル基台の斜視図である。
【符号の説明】
【００２３】
１・・高圧ケーブル挿通孔、２・・低圧ケーブル挿通孔、３・・ネジ孔、４・・鉄筋、６・・吊りボルト、７・・切り欠き、１０・・ベルト案内溝。
【図１】
2005130619.tif 000003
【図２】
2005130619.tif 000004
【図３】
2005130619.tif 000005
【図４】
2005130619.tif 000006
【図５】
2005130619.tif 000007